(57)【要約】      （修正有）【課題】毛髪をほぐしたり毛元から立ち上げたり、毛流れを整えたりの施術を行いながらその施術部分にヘアドライヤーからの風を確実に吹き付けることができ、頭皮のマッサージ効果も得ることができるヘアドライヤー用吹出ノズルを提供する。【解決手段】ヘアドライヤー９の送気口９２に着脱可能に接続するノズル流入口１１からノズル吹出口１２ａに至るノズル流路が形成されたノズル本体１０と、複数本のピン体３を備え、ピン体は先端が頭皮に接触可能になるようにノズル吹出口からの吹き出し方向に突出して設けられている。【選択図】図１
0003184955.tif 000002
【実用新案登録請求の範囲】
【請求項１】
吸気口（９１）から送気口（９２）に至る通気路内にヒータが設けられているヘアドライヤー（９）の前記送気口（９２）に着脱可能に取り付けられる吹出ノズル（１）であって、
前記送気口（９２）に着脱可能に接続するノズル流入口（１１）からノズル吹出口（１２）に至るノズル流路（１３）が形成されたノズル本体（１０）と、前記ノズル吹出口（１２）に突設された複数本のピン体（３）を備え、
前記ピン体（３）は先端が頭皮に接触可能になるようにノズル吹出口（１２）からの吹き出し方向に突出して設けられていることを特徴とするヘアドライヤー用吹出ノズル。
【請求項２】
吸気口（９１）から送気口（９２）に至る通気路内にヒータが設けられると共に、プラズマイオン発生器（９５）を備えたイオン風通路（９６）が前記通気路から分岐して設けられているヘアドライヤー（９）の前記送気口（９２）に着脱可能に取り付けられる吹出ノズル（１）であって、
前記送気口（９２）に着脱可能に接続するノズル流入口（１１）からノズル吹出口（１２）に至るノズル流路（１３）が形成されたノズル本体（１０）と、前記ノズル吹出口（１２）に突設された複数本のピン体（３）を備え、
前記ノズル本体（１０）に前記イオン風通路（９６）の先端に形成されたイオン風送気口（９７）に着脱可能に接続するイオン風ノズル流路（１４）が形成され、このイオン風ノズル流路（１４）は先端に形成したイオン風ノズル口（１５）からの吹き出し方向が前記ノズル吹出口（１２）からの吹き出し方向と合流するように形成され、
前記ピン体（３）は先端が頭皮に接触可能になるようにノズル吹出口（１２）からの吹き出し方向に突出して設けられていることを特徴とするヘアドライヤー用吹出ノズル。
【請求項３】
請求項１又は２記載のヘアドライヤー用吹出ノズル（１）において、
前記各ピン体（３）の内部にノズル吹出口（１２）からの空気を流入させるピン内気路（３０）が形成され、このピン内気路（３０）の先端部にピン体送気孔（３１）が形成されているヘアドライヤー用吹出ノズル。
【請求項４】
請求項１又は２又は３記載のヘアドライヤー用吹出ノズル（１）において、
前記ノズル本体（１０）及び／又はピン体（３）が多元素鉱物を粉砕して形成した多元素鉱物ミネラルパウダーを含有しているヘアドライヤー用吹出ノズル。
【請求項５】
請求項１又は２又は３記載のヘアドライヤー用吹出ノズル（１）において、
前記ノズル本体（１０）及び／又はピン体（３）が多元素鉱物ミネラルパウダーに加えて、遠赤外線放射材料を粉砕して形成した遠赤外線放射パウダーを含有しているヘアドライヤー用吹出ノズル。
【考案の詳細な説明】
【技術分野】
【０００１】
本考案は、毛髪を乾燥させたりブローセットさせたりするためのヘアドライヤーに取り付けて使用するヘアドライヤー用吹出ノズルに関する。
【背景技術】
【０００２】
ヘアドライヤーは吸気口から送気口に至る通気路内にヒータが設けられ、その送気口からの風（温風や冷風）を毛髪に当てて乾燥やブローセットを行うもので、一般的には前記送気口に着脱可能に取り付けて使用する吹出ノズルを備えている（特許文献１参照）。
【先行技術文献】
【特許文献】
【０００３】
【特許文献１】実用新案登録第３１７５２５７号公報
【考案の概要】
【考案が解決しようとする課題】
【０００４】
ところで、ヘアドライヤーを用いて毛髪を乾燥させたりブローセットを行ったりする場合、クシやブラシ、或いは手グシで毛髪をほぐしたり毛元から立ち上げたり、毛流れを整えたりしながらヘアドライヤーからの風を吹き付けることになる。
しかしながら、クシ、ブラシ、或いは手グシを用いてもヘアドライヤーからの風を毛髪の毛元にまで十分に行き渡らせることが困難で、施術に時間がかかってしまうことがある。
【０００５】
このような点に鑑み、本考案は、ヘアドライヤーの送気口に取り付けて使用する吹出ノズルのノズル吹出口に複数本のピン体を設け、このピン体を用いて毛髪をほぐしたり毛元から立ち上げたり、毛流れを整えたり等の施術を行うことができるようにすることで、その施術部分にヘアドライヤーからの風を確実に吹き付けることができ、効果的かつ短時間で毛髪を乾燥させたりブローセットさせたりすることができ、しかもピン体によって頭皮のマッサージ効果を得ることができるヘアドライヤー用吹出ノズルを提供することを課題としている。
【０００６】
さらに、多元素鉱物ミネラルパウダーから放射される微弱エネルギー及び／又は遠赤外線放射パウダーから放射される遠赤外線により毛髪をケアしながらスタイリングすることができ、また、頭皮の血行を増進させて効果的なケアができるヘアドライヤー用吹出ノズルを提供することを課題としている。
【課題を解決するための手段】
【０００７】
上記の課題を解決するために本考案は以下のように構成した。
即ち、請求項１記載のヘアドライヤー用吹出ノズルは、
吸気口（９１）から送気口（９２）に至る通気路内にヒータが設けられているヘアドライヤー（９）の前記送気口（９２）に着脱可能に取り付けられる吹出ノズル（１）であって、
前記送気口（９２）に着脱可能に接続するノズル流入口（１１）からノズル吹出口（１２）に至るノズル流路（１３）が形成されたノズル本体（１０）と、前記ノズル吹出口（１２）に突設された複数本のピン体（３）を備え、
前記ピン体（３）は先端が頭皮に接触可能になるようにノズル吹出口（１２）からの吹き出し方向に突出して設けられていることを特徴とする。
【０００８】
請求項２記載のヘアドライヤー用吹出ノズルは、
吸気口（９１）から送気口（９２）に至る通気路内にヒータが設けられると共に、プラズマイオン発生器（９５）を備えたイオン風通路（９６）が前記通気路から分岐して設けられているヘアドライヤー（９）の前記送気口（９２）に着脱可能に取り付けられる吹出ノズル（１）であって、
前記送気口（９２）に着脱可能に接続するノズル流入口（１１）からノズル吹出口（１２）に至るノズル流路（１３）が形成されたノズル本体（１０）と、前記ノズル吹出口（１２）に突設された複数本のピン体（３）を備え、
前記ノズル本体（１０）に前記イオン風通路（９６）の先端に形成されたイオン風送気口（９７）に着脱可能に接続するイオン風ノズル流路（１４）が形成され、このイオン風ノズル流路（１４）は先端に形成したイオン風ノズル口（１５）からの吹き出し方向が前記ノズル吹出口（１２）からの吹き出し方向と合流するように形成され、
前記ピン体（３）は先端が頭皮に接触可能になるようにノズル吹出口（１２）からの吹き出し方向に突出して設けられている。
【０００９】
請求項３記載のヘアドライヤー用吹出ノズルは、請求項１又は２記載のヘアドライヤー用吹出ノズル（１）において、
前記各ピン体（３）の内部にノズル吹出口（１２）からの空気を流入させるピン内気路（３０）が形成され、このピン内気路（３０）の先端部にピン体送気孔（３１）が形成されている。
【００１０】
請求項４記載のヘアドライヤー用吹出ノズルは、請求項１又は２又は３記載のヘアドライヤー用吹出ノズル（１）において、
前記ノズル本体（１０）及び／又はピン体（３）が多元素鉱物を粉砕して形成した多元素鉱物ミネラルパウダーを含有している。
【００１１】
請求項５記載のヘアドライヤー用吹出ノズルは、請求項１又は２又は３記載のヘアドライヤー用吹出ノズル（１）において、
前記ノズル本体（１０）及び／又はピン体（３）が多元素鉱物ミネラルパウダーに加えて、遠赤外線放射材料を粉砕して形成した遠赤外線放射パウダーを含有している。
【考案の効果】
【００１２】
通常、ヘアドライヤーを用いた施術では、片手にヘアドライヤーを持ち、他方の手にクシやブラシを持ち、毛髪の毛元の毛流れや立ち上がりを作ることになるが、これらの施術を個人が自分自身で行うことは難しい。
又、毛髪を前に流したり後ろに流したり、毛髪の根元部分に方向性を付けながら乾かすことがヘアデザインを決めることの重要な要素になる。
【００１３】
これらの点に対し、本考案（請求項１）のヘアドライヤー用吹出ノズルは、ノズル吹出口に複数本のピン体が突設されているため、このピン体を用いることで、毛髪をほぐしたり毛元から立ち上げたり、ボリュームアップさせたり毛流れを整えたりの施術を行いながら、その施術部分にヘアドライヤーからの風を確実に吹き付けることができる。
このように、自分自身で毛髪の根元部分を梳きながら乾かすことが容易にできるようになり、効果的かつ短時間で毛髪を乾燥させたりブローセットさせたりすることができる。
【００１４】
また、ピン体で毛髪を梳く際に、このピン体の先端が頭皮を擦ることになるため、その刺激によって頭皮のマッサージ効果を得ることができる。
【００１５】
本考案（請求項２）のヘアドライヤー用吹出ノズルは、プラズマイオン発生器を備えたイオン風通路を備えたヘアドライヤーに取り付けて使用する吹出ノズルであって、ノズル本体に前記イオン風通路に接続するイオン風ノズル流路が形成されている構成に特徴がある。
これによりプラズマイオンを含んだ風（イオン風）を毛髪に吹き付けることができるため、頭皮や毛髪への保湿効果、抗菌除菌効果を得ることができる。
【００１６】
本考案（請求項３）のヘアドライヤー用吹出ノズルは、ピン体の内部にノズル吹出口からの空気を流入させるピン内気路が形成され、このピン内気路の先端部にピン体送気孔が形成されている構成に特徴がある。
従って、ノズル吹出口からの風の一部をピン内気路に通してピン体送気孔から毛髪の毛元に向けて吹出させることができるため、毛髪の毛元に風を確実に当てることができ、毛髪の乾燥やブローセットをより効果的に行うことができる。
【００１７】
本考案のヘアドライヤー用吹出ノズルは、ノズル本体及び／又はピン体に多元素鉱物ミネラルパウダーを含有させることができる（請求項４）。
従って、多元素鉱物ミネラルパウダーから放射される微弱エネルギーにより毛髪をケアすることができ、また、頭皮の血行を増進させて発毛促進や効果的なスキャルプケアができる。
また、多元素鉱物ミネラルパウダーの作用によって、ピン体で毛髪を梳く際に生じる静電気の発生を抑えることができる。
【００１８】
しかも多元素鉱物ミネラルパウダーから発生するマイナスイオンによって毛髪や頭皮の血行を良好にでき、また、マイナスイオンによって毛髪の水分にクラスター現象（水の分子集団を小さくする力）が生じ、毛髪のツヤ感と潤い感を高めることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００１９】
又、前記多元素鉱物ミネラルパウダーに加えて遠赤外線放射パウダーを含有させることができる（請求項５）。
このように、多元素鉱物ミネラルパウダーに加えて、遠赤外線放射パウダーを含有させると、この遠赤外線放射パウダーから遠赤外線が放射され、毛髪や頭皮を内部から温めることができる。
これにより、毛髪を効果的にケアすることができるし、頭皮の血行を良好にすることができる。
【図面の簡単な説明】
【００２０】
【図１】本考案のヘアドライヤー用吹出ノズルの実施例を示すもので、ヘアドライヤーから取り外した状態の斜視図。
【図２】ヘアドライヤー用吹出ノズルを示す断面図。
【図３】ヘアドライヤー用吹出ノズルを示す一部切欠平面図。
【図４】ヘアドライヤー用吹出ノズルを示す正面図。
【考案を実施するための形態】
【００２１】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００２２】
多元素鉱物ミネラルパウダーは、多元素鉱物をボールミル等で粉砕してパウダーに形成したもので、この場合の粉砕数値は１〜３ミクロンが望ましいが数値は変わってもよい。
多元素鉱物ミネラルパウダーは単独或いは組み合わせて使用することができるが、２種類以上を適宜配合して使用することが好ましい。
この多元素鉱物ミネラルパウダーはそのまま使用してもよいし、これを水と混合し、加熱又は加圧した後、上澄み液を真空凍結乾燥や噴射乾燥により粉末にしたものを使用してもよい。
【００２３】
尚、真珠岩は下記の表１で示す成分からなるものである。
【００２４】
【表１】
0003184955.tif 000003
【００２５】
多元素鉱物ミネラルパウダーから放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２６】
そこで、この電磁波（微弱エネルギー）を毛髪や頭皮に当てることにより、毛髪や頭皮中の水分をミネラル化して毛髪や頭皮の中の蛋白質を活性化し、常に健康毛でツヤのある毛髪とすることができる。
【００２７】
また、遠赤外線放射パウダーは、遠赤外線放射材料としてのアルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたもので、これらの遠赤外線放射パウダーを毛髪や頭皮の吸収に適した波長の遠赤外線を放射するようにブレンドして使用するのが好ましい。
【００２８】
又、本考案でいう「含有」には、多元素鉱物ミネラルパウダーや遠赤外線放射パウダーをノズル本体及び／又はピン体自体に練り込んで所定の形状に成型したもの、又、多元素鉱物ミネラルパウダーや遠赤外線放射パウダーをコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものを含む。
【実施例】
【００２９】
図１において、符号９はヘアドライヤーを示し、吸気口９１から送気口９２に至る通気路内にヒータが設けられたボディ本体９０を有している。
また、ボディ本体９０には柄部９３が連結され、使用時に手で持てるように形成されている。この柄部９３には温風と冷風の切換や風量や温度等を切り替えるための切換スイッチ９４が設けられている。
【００３０】
又、本実施例のヘアドライヤー９は、プラズマイオン発生器９５を備えたイオン風通路９６が通気路から分岐してボディ本体９０の上側外周に設けられ、このイオン風通路９６の先端にイオン風ノズル口９７が形成されている。
尚、ヘアドライヤー９としては従来公知のものと同様の構造のものであり、詳細は省略する。
【００３１】
図において、符号１は本考案実施例に係るヘアドライヤー用吹出ノズルで、前記ヘアドライヤー９の送気口９２に着脱可能に取り付けられる。
このヘアドライヤー用吹出ノズル１は、ヘアドライヤー９に取り付けた状態で前記送気口９２に接続するノズル流入口１１から先端のノズル吹出口１２に至るノズル流路１３が内部に形成されたノズル本体１０を備えている。
尚、本明細書において、「ノズル吹出口１２」は後述する上部吹出口１２ａと下部吹出口１２ｂを総称したものをいう。
【００３２】
前記ノズル吹出口１２は、左右方向に長い扁平長円形状に開口した上部吹出口１２ａと、この上部吹出口１２ａの下辺を上弦として略円弧口状に開口した下部吹出口１２ｂとに区画されている。
前記下部吹出口１２ｂはヘアドライヤー９の送気口９２からの風量を上部吹出口１２ａとで分配して風量バランスを整える目的で形成されている。
又、前記上部吹出口１２ａには後述のようにピン体３が取り付けられるため上部吹出口１２ａからの吹き出し量が十分に得られなくなるが、これを補助する機能を下部吹出口１２ｂは有している。
尚、ノズル吹出口１２は必ずしも上部吹出口１２ａと下部吹出口１２ｂの２つに区画する必要はないし、２つ以上に区画してもよい。
【００３３】
前記ノズル本体１０の上面側には、ヘアドライヤー用吹出ノズル１をヘアドライヤー９に取り付けた状態で、前記ヘアドライヤー９のイオン風通路９６の先端に形成されたイオン風送気口９７に着脱可能に接続するイオン風ノズル流路１４がノズル本体１０と一体に形成されている。
このイオン風ノズル流路１４の先端にはイオン風ノズル口１５が形成され、このイオン風ノズル口１５からの吹き出し方向が前記ノズル吹出口１２からの吹き出し方向と合流するように形成されている。
尚、ノズル本体１０は、ポリプロピレン（ＰＰ）やポリカーボネート（ＰＣ）を素材としているが、シリコンやその他の合成樹脂素材を用いて製作することができる。
【００３４】
前記上部吹出口１２ａには左右方向に並べて４本のピン体３が、その先端が頭皮に接触可能になるようにノズル吹出口１２からの吹き出し方向に突出して設けられている。
この場合、上部吹出口１２ａに左右方向に並べて４個の筒部材１６を取り付け、この筒部材１６にピン体３の基端部を嵌め込んだ取付け構造になっている。
又、ピン体３は内部が中空で、先端に向けて次第に細径に形成された略円錐形に形成され、その先端は頭皮への接触を緩和させるために丸みを持って形成されている。
【００３５】
前記ピン体３には内部を中空に形成することで前記上部吹出口１２ａからの空気を流入させるピン内気路３０が形成され、このピン内気路３０の先端部に３個のピン体送気孔３１が形成されている。
実施例では３個のピン体送気孔３１がピン体３の先端部に１２０度の等間隔で配置されているが、このピン体送気孔３１の個数や配置に限定はないし、ピン内気路３０についても必ずしも形成しないでよい。
【００３６】
又、４本のピン体３は、図３に示すようにその先端を結ぶ線Ｎが頭の形状に沿うような円弧状配列で櫛歯状に取り付けられているが、直線状に配列させてもよい。
また、配列は櫛歯状に限らず、三角形、四角形、多角形、円形等に配列させてもよいし、ブラシ状に配列させてもよい。
又、ピン体は、プラスチック＋熱可塑性エラストマー（ＰＣ＋ＴＰＥ）を素材としているが、柔軟性を有するシリコンゴム又はエチレンプロピレンゴム（ＥＰＴ）でもよいし、柔軟性がないポリプロピレンやポリカーボネートやその他の合成樹脂素材を用いて製作することができる。
【００３７】
本実施例のヘアドライヤー用吹出ノズル１は、ノズル本体１０及びピン体３に多元素鉱物ミネラルパウダーと遠赤外線放射パウダーを混合させた混合パウダーを含有させている。
この場合、ピン体３にはその素材に混合パウダーを混合させて成型することで、このピン体３自体に混合パウダーを含有させている。
【００３８】
また、ノズル本体１０に対しては、その内部表面にコーティング層を形成させることで含有させている。
このコーティング層は、混合パウダーをコーティング剤である耐熱性フォーマイカに加えて塗料状にしたものをノズル本体に塗布し、これを加熱してコーティング剤を飛ばすことで（焼き付けて）形成している。
耐熱性フォーマイカに対する混合パウダーの混合割合は、容積比で３〜１５％が望ましいが数値は変わってもよい。
【００３９】
尚、本考案では、多元素鉱物ミネラルパウダーや遠赤外線放射パウダーの含有方法、即ちコーティング層を形成させるか、素材に練り込むかの限定はないし、多元素鉱物ミネラルパウダーや遠赤外線放射パウダーを含有させることも必須ではない。
【００４０】
本考案は以上のように構成したので、ピン体３を用いて毛髪をほぐしたり毛元から立ち上げたり、毛流れを整えたりの施術を行いながらその施術部分にヘアドライヤー９からの風を確実に吹き付けることができ、効果的かつ短時間で毛髪を乾燥させ、ブローセットさせることができる。
また、ピン体３によって頭皮のマッサージ効果を得ることができる。
又、多元素鉱物ミネラルパウダーから放射される微弱エネルギー及び／又は遠赤外線放射パウダーから放射される遠赤外線により毛髪をケアしながらスタイリングすることができ、また、頭皮の血行を増進させて効果的なケアができる。
【００４１】
以上、本考案の実施例を図面に基づいて説明してきたが、具体的な構成はこの実施例に限定されるものではなく、本考案の要旨を逸脱しない範囲における設計変更等があっても本考案に含まれる。
【００４２】
尚、ヘアドライヤー９としては本考案者が開発したマイナスイオンを温風又は冷風と共に噴出するイオンドライヤーを使用することが好ましい。
【符号の説明】
【００４３】
１  吹出ノズル
１０  ノズル本体
１１  ノズル流入口
１２ａ  上部ノズル吹出口
１２ｂ  下部ノズル吹出口
１３  ノズル流路
１４  イオン風ノズル流路
１５  イオン風ノズル口
３  ピン体
３０  ピン内気路
３１  ピン体送気孔
９  ヘアドライヤー
９１  吸気口
９２  送気口
９５  プラズマイオン発生器
９６  イオン風通路
９７  イオン風送気口
【図１】
0003184955.tif 000004
【図２】
0003184955.tif 000005
【図３】
0003184955.tif 000006
【図４】
0003184955.tif 000007